(57)【要約】【課題】施工容易なブレースの接合構造及びブレース固定金物を提供する。【解決手段】ブレースを躯体に固定するブレースと躯体の接合構造は、躯体６に固定され、躯体６に対しブレース３を任意の角度で固定することができるブレース固定金物２と、端部に長さ調整機構を設けたブレース３とからなる。ブレース接合金物２は、短冊状の基端部２ａとそのそれぞれの両端に接続する半円弧型のブレース接続部２ｂから構成され平面視半円形をしている。ブレース接続部２ｂには、ブレース３の端部を挿入固定するためのスリット２ｄが設けられている。【選択図】    図１
2009091785.tif 000002
【特許請求の範囲】
【請求項１】
ブレースを躯体に固定するブレースと躯体の接合構造であって、
躯体に固定され、躯体に対しブレースを任意の角度で固定することができるブレース固定金物と、
端部に長さ調整機構を設けたブレース、
とからなることを特徴とするブレースの接合構造。
【請求項２】
前記ブレース固定金物が平面視半円形をしている請求項１に記載の接合構造。
【請求項３】
前記ブレース固定金物が平面視４分の１円形をしている請求項１に記載の接合構造。
【請求項４】
ブレースを躯体に固定するブレース固定金物であって、ブレースを躯体に対し任意の角度で固定することができることを特徴とするブレース固定金物。
【発明の詳細な説明】
【技術分野】
【０００１】
本発明は、ブレースの接合構造及びブレース固定金物に関する。
【背景技術】
【０００２】
図７に示すように柱や梁などで四辺形に組み立てられた軸組７の対角線上に軸組みの水平方向の耐力の向上を図るためブレース８が組み込まれている。
【０００３】
従来のブレース構造では、ブレース８の長さを調整するためのターンバックル９がブレース本体に組み込まれるとともに、ブレース８の端部には躯体側と取りあうためのブレースシート１０が溶接等により固定されている。
【０００４】
【特許文献１】特開２０００−１３６５６４号公報
【発明の開示】
【発明が解決しようとする課題】
【０００５】
しかし、従来のブレース構造では、ブレース本体の端部にブレースシート１０を溶接で接合する必要があるとともに、ブレースを接合する柱や梁などの躯体側にもブレースを接合するためのプレート１１を溶接などにより固定しておく必要がある。
【０００６】
また、ブレース８の長さ調整のためにブレース本体にターンバックル９が組み込まれているため、ブレース８を軸組へ取り付ける際には、始めにターンバックル９を調整してブレース本体の全長を取り付ける躯体の長さにおおよそ調整する。そして、ブレース端部のブレースシート１０に設けられた孔と躯体に固定されたプレート１１に設けられた孔とをボルトにより接合する。最後にターンバックル９を再度調整しブレース８に張力を加える。この一連の工程のためブレースの施工は非常に手間のかかる作業となる。特にターンバックル９は断面視角型の鋼管からなり、回転させてブレース長さを調整することは施工の点においても非常にやっかいである。
【０００７】
本発明は、以上のような問題点に鑑み、施工容易なブレースの接合構造及びブレース固定金物を提供することを課題とする。
【課題を解決するための手段】
【０００８】
上記の課題は、ブレースを躯体に固定するブレースと躯体の接合構造であって、躯体に固定され、躯体に対しブレースを任意の角度で固定することができるブレース固定金物と端部に長さ調整機構を設けたブレースとからなることを特徴とするブレースの接合構造、またはブレースを躯体に固定するブレース固定金物であって、ブレースを躯体に対し任意の角度で固定することができることを特徴とするブレース固定金物により解決される。
【０００９】
本ブレースの接合構造及びブレース固定金物では、ブレース固定金物を躯体側に固定するため、ブレース接合金物を躯体側に溶接する必要がない。また、ブレースの端部に長さ調整機構を設けているため、長さ調整のためのターンバックルが不要でありブレース取り付け後にターンバックルを調整してブレースの長さを調整する必要がない。さらに上記の効果と相まって、既存の鉄骨構造物に対し耐震補強などの目的で後付けでブレースを容易に取り付けることが可能となる。
【００１０】
また、ブレース固定金物はブレースを躯体に対して任意の角度で固定させることができるため、柱や梁で四辺形に組み立てられたさまざまな形状の躯体であってもブレースを固定することができる。
【００１１】
また、本ブレース接合構造において、ブレース接合金物が平面視半円形をしているとよい。ブレース接合金物が平面視半円形をしていることで、ブレース固定金物はブレースを躯体に対して多段的に任意の角度に調整し固定させることができる。
【００１２】
また、本ブレース接合構造において、ブレース接合金物が平面視４分の１円形をしているとよい。ブレース接合金物が平面視４分の１円形をしていることで、ブレース固定金物はブレースを躯体に対して多段的に任意の角度に調整し固定させることができる。特に平面視４分の１円形の接合金物を用いることで、四周４部材を接合して構成されるパネルフレームに本ブレース構造を適用する場合、ブレースの引付け点とパネルフレームの節点の位置を近接させ構造上効果的な構成とすることができる。
【発明の効果】
【００１３】
本発明は以上のとおりであるから、施工容易なブレースの接合構造及びブレース固定金物を提供することができる。
【発明を実施するための最良の形態】
【００１４】
次に、本発明の実施最良形態を図面に基づいて説明する。
【００１５】
図１に示す本発明の第１の実施形態であるブレース接合構造１において、２はブレース接合金物、３はブレース、４は締結部材としてのナット、５は締結部材、６は躯体としての梁である。
【００１６】
ブレース接合金物２は、図２に示すように短冊状の基端部２ａとそのそれぞれの両端に接続する半円弧型のブレース接続部２ｂから構成され平面視半円形をしている。基端部２ａの中央部には、ボルト５で躯体側に固定するための孔２ｃが設けられている。一方、ブレース接続部２ｂには、ブレース３の端部を挿入固定するためのスリット２ｄが設けられている。
【００１７】
本接合構造１で用いられるブレース３は、図３（ロ）に示すように両端部に螺子３ａがきられた棒状部材からなる。
【００１８】
ブレース接合構造１において、上下のフランジ６ａ、６ａとこれらフランジをつなぐウェブ６ｂを備えたＨ型鋼からなる梁６のウェブ６ｂにブレース接合金物固定用の孔６ｄが設けられ、ここにボルト接合金物２の固定用孔２ｃを介してブレース接合金物２が梁６にボルトとナットからなる締結部材５で固定されている。
【００１９】
躯体としての梁６に固定されたブレース固定金物２のスリット２ｄにブレース３を挿通し、ブレース接続部２ｂの両側から挟みこむようにナット４で固定する。図示しないが、ブレース３のもう一方の端部も同様に梁に固定されたブレース固定金物２のスリット２ｄにナット４で固定する。躯体に取り付けたブレースの効果を得るためにはブレースの長さを調整しブレースに張力を与えることが必要であるが、本ブレース接合構造１では、ブレース端部の螺子３ａへのナット４の固定位置を調整するだけでブレースの長さが調整されるため、ブレースの張力を容易に調整することができる。
【００２０】
本ブレースの接合構造及びブレース固定金物では、ブレース固定金物を躯体側に固定するため、ブレース接合金物を躯体側に溶接する必要がない。また、ブレースの端部に長さ調整機構を設けているため、長さ調整のためのターンバックルが不要でありブレース取り付け後にターンバックルを調整してブレースの長さを調整する必要がない。
【００２１】
図４、５に本発明の第２の実施形態であって、平面視４分の１円形のブレース接合金物を外壁パネルフレームのブレースに適用した例である。本実施形態でブレース接合構造は、鋼製のフレームにより四周の枠体が構成された外壁パネルフレームに適用される。なお、符号は先に示した実施例と同じ符号を付している。本発明のブレース構造を適用することにより、ブレース固定金物を固定するための孔を設けるだけでよく、躯体にブレース固定用のブレースシートを溶接し固定する必要がなく、ブレースの取り付けを容易に行うことができる。特に耐震補強など建物の完成後にブレースの取り付けを行う場合などにおいては現場での溶接作業が必要でなく、簡易な方法でパネルフレームにブレースを取り付けることができる。また、四周４部材を接合して構成されるパネルフレームに本ブレース構造において、平面視４分の１円形の接合金物を用いることで、ブレースの引付け点とパネルフレームの節点の位置を近接させ構造上効果的な構成とすることができる。
【００２２】
以上に、本発明の実施形態を示したが、本発明はこれに限られるものではなく、発明思想を逸脱しない範囲で各種の変更が可能である。例えば、上記の実施形態では、ブレース固定金物を躯体の一方の側に取り付けた場合について示したが、図６に示すように躯体の両方の側に取り付けてもよく、その場合、躯体の両側へのブレース固定金物の取り付けを共通の締結部材で一度に取り付けることができる。
【図面の簡単な説明】
【００２３】
【図１】本発明の第１実施形態のブレース構造を示す図であって、（イ）は（ロ）のＡ-Ａ’線断面である正面図、（ロ）は側面図である。
【図２】本発明の第１実施形態のブレース接合金物を示す斜視図である。
【図３】本ブレース構造に使用されるブレースであって、（イ）は要部拡大一部断面側面図、（ロ）はブレース全体を示す側面図である。
【図４】本発明の第２実施形態のブレース構造を示す一部断面正面図である。
【図５】本発明の第２実施形態のブレース構造を適用した外壁パネルフレームを示す正面図である。
【図６】本部ブレース構造の第３の実施例を示す図であって、躯体側の両側にブレース接合金物を取り付けた状態を示す一部断面正面図である。
【図７】従来のブレース構造を示す正面図である。
【符号の説明】
【００２４】
１・・・ブレース接合構造
２・・・ブレース接合金物
３・・・ブレース
４・・・ナット（締結部材）
５・・・ボルトとナット（締結部材）
６・・・梁（躯体）
【図１】
2009091785.tif 000003
【図２】
2009091785.tif 000004
【図３】
2009091785.tif 000005
【図４】
2009091785.tif 000006
【図５】
2009091785.tif 000007
【図６】
2009091785.tif 000008
【図７】
2009091785.tif 000009